(57)【特許請求の範囲】
【請求項１】
重ね合わせた２枚のトイレットペーパー原反の片側縁部を連続方向に沿って接合し，所定間隔毎に横ミシン目が形成され，かつ，ロール状の巻き取り形態をなし，
前記横ミシン目で分断して展開した２枚重ねのトイレットペーパーを洋式トイレの水たまりに浮かべた際，前記展開した２枚重ねのトイレットペーパーの両端が，洋式トイレの手前の乾燥面とその反対側の乾燥面で支えられる格好になるように，前記横ミシン目を形成する間隔を決定したことを特徴とする展開型トイレットペーパーロール。
【発明の詳細な説明】
【技術分野】
【０００１】
本発明は，トイレットペーパーをロール状に巻き取ったトイレットペーパーロールに関する発明である。
【背景技術】
【０００２】
下水道からの臭気の遮断防止や汚物の付着防止を目的として，洋式トイレは，水たまりを洋式トイレ内に溜める構造になっている。近年，洋式トイレ内に溜める水たまりの量は増加傾向にあり，臭気の遮断防止や汚物の付着防止の効果は高まるが，一方で，用便が水たまりに落下した際に水が跳ね返って臀部に付着するおつりが問題になっている。
【０００３】
用便が水たまりに落下した際に発生するおつりを防止する手法として，特許文献１のように，用便が水たまりに落下した際に跳ね返った水を圧縮空気により回収する手法もあるが，特許文献２のように，用便が水たまりに落下した時の衝撃を吸収する衝撃吸収材を水たまりに浮かべることで，用便が水たまりに落下した際の水はねを防止する手法が以前より発案されている。
【０００４】
特許文献２では，水たまりに入れた発泡剤によって発生した泡が衝撃吸収材の役割を果たすが，特許文献３で開示されているように，トイレットペーパーロールから切り取ったトイレットペーパーを衝撃吸収材に用いるのが実用的だと考える。なお，特許文献３で開示されているおつり防止装置は，細切れにした状態のトイレットペーパーを水たまりに自動的に浮かべる装置である。
【先行技術文献】
【特許文献】
【０００５】
【特許文献１】特開２００２−２５００６７号公報
【特許文献２】特開２００１−２４１０８５号公報
【特許文献３】特開平８−２７００３９号公報
【発明の概要】
【発明が解決しようとする課題】
【０００６】
特許文献３では，洋式トイレの水たまりにトイレットペーパーを自動的に浮かべるが，用便が水たまりに落下した時の衝撃を吸収する衝撃吸収材として用いるトイレットペーパーは手作業でも洋式トイレの水たまりに浮かべることができる。しかし，洋式トイレの水たまりにトイレットペーパーを浮かべる作業を手作業で行うと，トイレットペーパーが幾重にも重なった状態になるため，結果としてトイレットペーパーの使用量が増えてしまう。
【０００７】
そこで，本発明は，洋式トイレ内に蓄えられた水たまりを効率良く覆うことができるように工夫を凝らしたトイレットペーパーロールを提供することを課題とする。
【課題を解決するための手段】
【０００８】
上述した課題を解決する本発明は，重ね合わせた２枚のトイレットペーパー原反の片側縁部を連続方向に沿って接合し，所定間隔毎に横ミシン目が形成され，かつ，ロール状の巻き取り形態をなし，前記横ミシン目で分断して展開した２枚重ねのトイレットペーパーを洋式トイレの水たまりに浮かべた際，前記展開した２枚重ねのトイレットペーパーの両端が，洋式トイレの手前の乾燥面とその反対側の乾燥面で支えられる格好になるように，前記横ミシン目を形成する間隔を決定したことを特徴とする展開型トイレットペーパーロールある。
【発明の効果】
【０００９】
本発明に係る展開型トイレットペーパーロールによれば，展開型トイレットペーパーロールに形成されている横ミシン目を利用して，２枚重ねのトイレットペーパーを分断し，接合している片側縁部を中心にして，展開型トイレットペーパーロールから分断した２枚重ねのトイレットペーパーを開いて使えば，洋式トイレ内に蓄えられた水たまりを効率良く覆うことができる。
【図面の簡単な説明】
【００１０】
【図１】展開型トイレットペーパーロールを示した図。
【図２】展開型トイレットペーパーロールの使用方法を示した図。
【図３】展開した２枚重ねのトイレットペーパーの使用方法を示した図。
【発明を実施するための形態】
【００１１】
ここから，本発明の好適な実施形態を記載する。なお，以下の記載は本発明の技術的範囲を束縛するものでなく，理解を助けるために記述するものである。
【００１２】
図１に，本実施形態に係る展開型トイレットペーパーロール１を示す。図１で図示した展開型トイレットペーパーロール１は，重ね合わせた２枚のトイレットペーパー原反１０ａ，ｂの片側縁部を連続方向に沿って接合し，所定間隔毎に横ミシン目１１を形成してロール状に巻き取った形態をなしている。
【００１３】
展開型トイレットペーパーロール１を製造する際に重ね合わせるトイレットペーパー原反１０ａ，ｂとしては，シングルタイプ（一重タイプ）またはダブルタイプ（二重タイプ）のトイレットペーパーを利用できるが，用便が水たまりに落下した時の衝撃を吸収する衝撃吸収材として用いることを考慮すると，厚みのあるダブルタイプのトイレットペーパーをトイレットペーパー原反１０ａ，ｂに用いることが望ましい。
【００１４】
重ね合わせた２枚のトイレットペーパー原反１０ａ，ｂの片側縁部を連続方向に沿って接合させる方法としては，重ね合わせた２枚のトイレットペーパー原反１０ａ，ｂの片側縁部にエンボス加工を施す方法と，重ね合わせた２枚のトイレットペーパー原反１０ａ，ｂの片側縁部に水溶性糊などを塗布する方法が考えられる。
【００１５】
おつり防止に加え排泄器官のふき取りにも展開型トイレットペーパーロール１を用いる場合，硬い箇所があると問題になるため，図１では，エンボス加工により，重ね合わせた２枚のトイレットペーパー原反１０ａ，ｂの片側縁部を接合させている。また，おつり防止のみに展開型トイレットペーパーロール１を用いる場合，２つのトイレットペーパー原反１０ａ，ｂがバラバラになりにくいように，水溶性糊などを用いて，重ね合わせた２枚のトイレットペーパー原反１０ａ，ｂの片側縁部を接合させてもよい。
【００１６】
ここから，本実施形態に係る展開型トイレットペーパーロール１の使用方法を説明する。図２に，本実施形態に係る展開型トイレットペーパーロール１の使用方法を示し，図３に，展開型トイレットペーパーロール１から分断した２枚重ねのトイレットペーパー１２の使用方法を示す。
【００１７】
実施形態に係る展開型トイレットペーパーロール１には，所定間隔をあけて横ミシン目１１が形成されているため，展開型トイレットペーパーロール１をおつり防止に使用するとき，図２（ａ）で示したように，展開型トイレットペーパーロール１に形成されている横ミシン目１１を利用して，展開型トイレットペーパーロール１から２枚重ねのトイレットペーパー１２を分断する。なお，横ミシン目１１を利用して分断することで，２枚重ねのトイレットペーパー１２の長さは横ミシン目１１の間隔になる。次に，図２（ｂ）で示したように，接合している片側縁部を中心にして，トイレットペーパー原反１０ａ，ｂが見開きの状態になるように２枚重ねのトイレットペーパー１２を開くことで，洋式トイレの水たまりに浮かべる形態に２枚重ねのトイレットペーパー１２を展開する。
【００１８】
図３（ａ）は，展開した２枚重ねのトイレットペーパー１２の使用方法を説明する図である。展開した２枚重ねのトイレットペーパー１２は，接合している片側縁部を中心にして，トイレットペーパー原反１０ａ，ｂが見開きの状態になっているため，展開した２枚重ねのトイレットペーパー１２の幅は，展開型トイレットペーパーロール１の幅の約２倍になり，洋式トイレ２の水たまり２０を効率良く覆うことができる。
【００１９】
展開した２枚重ねのトイレットペーパー１２すべてが洋式トイレの水たまりに浮かんだ状態になると，展開した２枚重ねのトイレットペーパー１２に水がしみ込んで，展開した２枚重ねのトイレットペーパー１２が水たまり２０に沈み易くなってしまう。そこで，展開した２枚重ねのトイレットペーパー１２を洋式トイレ２の水たまり２０に浮かべた際，展開した２枚重ねのトイレットペーパー１２の両端が，洋式トイレ２の乾燥面２１と乾燥面２１の反対側で支えられる格好になるように，展開した２枚重ねのトイレットペーパー１２の長さ（横ミシン目１１を形成する間隔）を決定するとよい。
【００２０】
図３（ｂ）は，展開した２枚重ねのトイレットペーパー１２を洋式トイレ２の水たまり２０に浮かべた状態を説明する図である。図３（ｂ）で示したように，展開した２枚重ねのトイレットペーパー１２は，おつり防止を目的として，洋式トイレ２の水たまり２０に浮かべて利用できる。展開した２枚重ねのトイレットペーパー１２を洋式トイレ２の水たまり２０に浮かべた状態で用便をすると，図３（ｂ）で示したように，展開した２枚重ねのトイレットペーパー１２が用便を受ける格好になるため，用便が水たまりに落下しても，おつりが発生する程の衝撃は発生しづらくなる。なお，展開型トイレットペーパーロール１に加えて，通常のトイレットペーパーロール２２を洋式トイレ２の脇に設置すれば，展開型トイレットペーパーロール１をおつり防止専用に利用できる。
【符号の説明】
【００２１】
１    展開型トイレットペーパーロール
１０  展開型トイレットペーパーロールのトイレットペーパー
１０ａ，ｂ  トイレットペーパー原反
１１  横ミシン目
１２  ２枚重ねのトイレットペーパー
２    洋式トイレ
２０  水たまり
【図１】
0006705162.tif 000002
【図２】
0006705162.tif 000003
【図３】
0006705162.tif 000004